【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
マルチレイヤビデオデータを処理する方法であって、
色域スケーラビリティのための少なくとも１つの３次元（３Ｄ）ルックアップテーブルを生成することと、ここにおいて、前記少なくとも１つの３Ｄルックアップテーブルが、第１のクロマ成分および第２のクロマ成分の各々に関するのとは、ルーマ成分に関して異なるサイズを有する、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行することと、
前記変換された色データに基づいて、前記ビデオデータの前記上位レイヤに関する少なくとも１つのレイヤ間参照ピクチャを生成することと
を備える、方法。
【請求項２】
前記少なくとも１つの３Ｄルックアップテーブルの前記サイズは、前記第１のクロマ成分および前記第２のクロマ成分の各々に関するよりも、前記ルーマ成分に関して大きい、請求項１に記載の方法。
【請求項３】
前記少なくとも１つの３Ｄルックアップテーブルを生成することは、非対称３Ｄルックアップテーブルの第１のクロマ次元および第２のクロマ次元の各々に関するのとは異なる数の、前記非対称３Ｄルックアップテーブルのルーマ次元に関するセグメントを使用して、前記非対称３Ｄルックアップテーブルを生成することを備える、請求項１に記載の方法。
【請求項４】
前記非対称３Ｄルックアップテーブルは、前記非対称３Ｄルックアップテーブルの前記第１のクロマ次元および前記第２のクロマ次元の各々に関するよりも多い、前記非対称３Ｄルックアップテーブルの前記ルーマ次元に関するセグメントを有する、請求項３に記載の方法。
【請求項５】
前記少なくとも１つの３Ｄルックアップテーブルを生成することは、サイズＭ×Ｎ×Ｋを有するルーマ成分３Ｄルックアップテーブルを生成すること、ここにおいて、Ｍが、前記ルーマ成分３Ｄルックアップテーブルのルーマ次元に関するサイズを表し、Ｎが、前記ルーマ成分３Ｄルックアップテーブルの第１のクロマ次元に関するサイズを表し、Ｋが、前記ルーマ成分３Ｄルックアップテーブルの第２のクロマ次元に関するサイズを表し、ここにおいて、ＭがＮおよびＫの各々とは異なる、を備える、請求項１に記載の方法。
【請求項６】
前記少なくとも１つの３Ｄルックアップテーブルを生成することは、前記サイズＭ×Ｎ×Ｋを有する第１のクロマ成分３Ｄルックアップテーブルを生成することと、前記サイズＭ×Ｎ×Ｋを有する第２のクロマ成分３Ｄルックアップテーブルを生成することとをさらに備える、請求項５に記載の方法。
【請求項７】
前記少なくとも１つの３Ｄルックアップテーブルを生成することは、第１のサイズを有するルーマ成分３Ｄルックアップテーブルを生成することと、第２のサイズを有する第１のクロマ成分３Ｄルックアップテーブルを生成することと、第３のサイズを有する第２のクロマ成分３Ｄルックアップテーブルを生成することとを備え、ここにおいて、前記第１のサイズが前記第２のサイズおよび前記第３のサイズの各々とは異なる、請求項１に記載の方法。
【請求項８】
前記少なくとも１つの３Ｄルックアップテーブルを生成することは、第１の精度値を有するルーマ成分３Ｄルックアップテーブルを生成することと、第２の精度値を有する第１のクロマ成分３Ｄルックアップテーブルを生成することと、前記第２の精度値を有する第２のクロマ成分３Ｄルックアップテーブルを生成することとを備え、ここにおいて、前記第１の精度値が前記第２の精度値とは異なる、請求項１に記載の方法。
【請求項９】
前記少なくとも１つの３Ｄルックアップテーブルを生成することは、前記３Ｄルックアップテーブルに関するテーブルインデックスとして使用されている前記ルーマ成分に基づいて、前記３Ｄルックアップテーブルの第１のクロマ次元および第２のクロマ次元の各々に関するよりも多くの、前記３Ｄルックアップテーブルのルーマ次元に関するセグメントを使用して、不平衡３Ｄルックアップテーブルを生成することを備える、請求項１に記載の方法。
【請求項１０】
前記少なくとも１つの３Ｄルックアップテーブルを生成することは、
ルーマ成分３Ｄルックアップテーブルに関するテーブルインデックスとして使用されている前記ルーマ成分に基づいて、第１のクロマ次元および第２のクロマ次元の各々よりも大きいルーマ次元を有する前記ルーマ成分３Ｄルックアップテーブルを生成することと、
第１のクロマ成分３Ｄルックアップテーブルに関するテーブルインデックスとして使用されている前記第１のクロマ成分に基づいて、ルーマ次元および第２のクロマ次元の各々よりも大きい第１のクロマ次元を有する前記第１のクロマ成分３Ｄルックアップテーブルを生成することと、
第２のルーマ成分３Ｄルックアップテーブルに関するテーブルインデックスとして使用されている前記第２のクロマ成分に基づいて、第１のクロマ次元およびルーマ次元の各々よりも大きい第２のクロマ次元を有する前記第２のクロマ成分３Ｄルックアップテーブルを生成することと
を備える、請求項１に記載の方法。
【請求項１１】
色予測を実行することは、前記少なくとも１つの３Ｄルックアップテーブルを使用して、ルーマ成分予測を実行することを備え、前記方法は、線形マッピングまたは区分線形マッピングのうちの１つを使用して、第１のクロマ成分予測および第２のクロマ成分予測を実行することをさらに備える、請求項１に記載の方法。
【請求項１２】
前記少なくとも１つの３Ｄルックアップテーブルを使用して生成された前記少なくとも１つのレイヤ間参照ピクチャに基づいて、前記ビデオデータの前記上位レイヤのピクチャ中のビデオブロックを予測することと、
ビットストリーム内の前記予測されたビデオブロックの残差データを符号化することと、
前記ビットストリーム内の前記少なくとも１つの３Ｄルックアップテーブルの前記サイズを示す、１つまたは複数のシンタックス要素を符号化することと、ここにおいて、前記サイズが、前記第１のクロマ成分および前記第２のクロマ成分の各々に関するのとは、前記ルーマ成分に関して異なる
をさらに備える、請求項１に記載の方法。
【請求項１３】
前記少なくとも１つの３Ｄルックアップテーブルの前記サイズを示す、１つまたは複数のシンタックス要素を復号することと、ここにおいて、前記サイズが、前記第１のクロマ成分および前記第２のクロマ成分の各々に関するのとは、前記ルーマ成分に関して異なる、
予測されたビデオブロックの残差データを復号することと、
前記復号された残差データと、前記少なくとも１つの３Ｄルックアップテーブルを使用して生成された前記少なくとも１つのレイヤ間参照ピクチャとに基づいて、前記ビデオデータの前記上位レイヤのピクチャ中の前記予測されたビデオブロックを再構成することと
をさらに備える、請求項１に記載の方法。
【請求項１４】
マルチレイヤビデオデータを処理するためのビデオ処理デバイスであって、
色域スケーラビリティのための少なくとも１つの３次元（３Ｄ）ルックアップテーブルを生成するための手段と、ここにおいて、前記少なくとも１つの３Ｄルックアップテーブルが、第１のクロマ成分および第２のクロマ成分に関するのとはルーマ成分に関して異なるサイズを有する、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行するための手段と、
前記変換された色データに基づいて、前記ビデオデータの前記上位レイヤに関する少なくとも１つのレイヤ間参照ピクチャを生成するための手段と
を備える、ビデオ処理デバイス。
【請求項１５】
実行されると、１つまたは複数のプロセッサに、請求項１〜１３のいずれか一項に記載の方法を行わせる、マルチレイヤビデオデータを処理するための命令を記憶したコンピュータ可読記憶媒体。
【手続補正２】
【補正対象書類名】明細書
【補正対象項目名】０１５８
【補正方法】変更
【補正の内容】
【０１５８】
[0165]様々な例が、説明された。これらおよび他の例は、以下の特許請求の範囲に含まれる。
以下に、本願の出願当初の特許請求の範囲に記載された発明を付記する。
［Ｃ１］
マルチレイヤビデオデータを処理する方法であって、
色域スケーラビリティのための少なくとも１つの３次元（３Ｄ）ルックアップテーブルを生成することと、ここにおいて、前記少なくとも１つの３Ｄルックアップテーブルが、第１のクロマ成分および第２のクロマ成分の各々に関するのとは、ルーマ成分に関して異なるサイズを有する、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行することと、
前記変換された色データに基づいて、前記ビデオデータの前記上位レイヤに関する少なくとも１つのレイヤ間参照ピクチャを生成することと
を備える、方法。
［Ｃ２］
前記少なくとも１つの３Ｄルックアップテーブルの前記サイズは、前記第１のクロマ成分および前記第２のクロマ成分の各々に関するよりも、前記ルーマ成分に関して大きい、Ｃ１に記載の方法。
［Ｃ３］
前記少なくとも１つの３Ｄルックアップテーブルを生成することは、非対称３Ｄルックアップテーブルの第１のクロマ次元および第２のクロマ次元の各々に関するのとは異なる数の、前記非対称３Ｄルックアップテーブルのルーマ次元に関するセグメントを使用して、前記非対称３Ｄルックアップテーブルを生成することを備える、Ｃ１に記載の方法。
［Ｃ４］
前記非対称３Ｄルックアップテーブルは、前記非対称３Ｄルックアップテーブルの前記第１のクロマ次元および前記第２のクロマ次元の各々に関するよりも多い、前記非対称３Ｄルックアップテーブルの前記ルーマ次元に関するセグメントを有する、Ｃ３に記載の方法。
［Ｃ５］
前記少なくとも１つの３Ｄルックアップテーブルを生成することは、サイズＭ×Ｎ×Ｋを有するルーマ成分３Ｄルックアップテーブルを生成すること、ここにおいて、Ｍが、前記ルーマ成分３Ｄルックアップテーブルのルーマ次元に関するサイズを表し、Ｎが、前記ルーマ成分３Ｄルックアップテーブルの第１のクロマ次元に関するサイズを表し、Ｋが、前記ルーマ成分３Ｄルックアップテーブルの第２のクロマ次元に関するサイズを表し、ここにおいて、ＭがＮおよびＫの各々とは異なる、を備える、Ｃ１に記載の方法。
［Ｃ６］
前記少なくとも１つの３Ｄルックアップテーブルを生成することは、前記サイズＭ×Ｎ×Ｋを有する第１のクロマ成分３Ｄルックアップテーブルを生成することと、前記サイズＭ×Ｎ×Ｋを有する第２のクロマ成分３Ｄルックアップテーブルを生成することとをさらに備える、Ｃ５に記載の方法。
［Ｃ７］
前記少なくとも１つの３Ｄルックアップテーブルを生成することは、第１のサイズを有するルーマ成分３Ｄルックアップテーブルを生成することと、第２のサイズを有する第１のクロマ成分３Ｄルックアップテーブルを生成することと、第３のサイズを有する第２のクロマ成分３Ｄルックアップテーブルを生成することとを備え、ここにおいて、前記第１のサイズが前記第２のサイズおよび前記第３のサイズの各々とは異なる、Ｃ１に記載の方法。
［Ｃ８］
前記少なくとも１つの３Ｄルックアップテーブルを生成することは、第１の精度値を有するルーマ成分３Ｄルックアップテーブルを生成することと、第２の精度値を有する第１のクロマ成分３Ｄルックアップテーブルを生成することと、前記第２の精度値を有する第２のクロマ成分３Ｄルックアップテーブルを生成することとを備え、ここにおいて、前記第１の精度値が前記第２の精度値とは異なる、Ｃ１に記載の方法。
［Ｃ９］
前記少なくとも１つの３Ｄルックアップテーブルを生成することは、前記３Ｄルックアップテーブルに関するテーブルインデックスとして使用されている前記ルーマ成分に基づいて、前記３Ｄルックアップテーブルの第１のクロマ次元および第２のクロマ次元の各々に関するよりも多くの、前記３Ｄルックアップテーブルのルーマ次元に関するセグメントを使用して、不平衡３Ｄルックアップテーブルを生成することを備える、Ｃ１に記載の方法。
［Ｃ１０］
前記少なくとも１つの３Ｄルックアップテーブルを生成することは、
ルーマ成分３Ｄルックアップテーブルに関するテーブルインデックスとして使用されている前記ルーマ成分に基づいて、第１のクロマ次元および第２のクロマ次元の各々よりも大きいルーマ次元を有する前記ルーマ成分３Ｄルックアップテーブルを生成することと、
第１のクロマ成分３Ｄルックアップテーブルに関するテーブルインデックスとして使用されている前記第１のクロマ成分に基づいて、ルーマ次元および第２のクロマ次元の各々よりも大きい第１のクロマ次元を有する前記第１のクロマ成分３Ｄルックアップテーブルを生成することと、
第２のルーマ成分３Ｄルックアップテーブルに関するテーブルインデックスとして使用されている前記第２のクロマ成分に基づいて、第１のクロマ次元およびルーマ次元の各々よりも大きい第２のクロマ次元を有する前記第２のクロマ成分３Ｄルックアップテーブルを生成することと
を備える、Ｃ１に記載の方法。
［Ｃ１１］
前記少なくとも１つの３Ｄルックアップテーブルを生成することは、ルーマ成分３Ｄルックアップテーブルを単に生成することを備える、Ｃ１に記載の方法。
［Ｃ１２］
色予測を実行することは、前記少なくとも１つの３Ｄルックアップテーブルを使用して、ルーマ成分予測を実行することを備え、前記方法は、線形マッピングまたは区分線形マッピングのうちの１つを使用して、第１のクロマ成分予測および第２のクロマ成分予測を実行することをさらに備える、Ｃ１に記載の方法。
［Ｃ１３］
前記少なくとも１つの３Ｄルックアップテーブルを使用して生成された前記少なくとも１つのレイヤ間参照ピクチャに基づいて、前記ビデオデータの前記上位レイヤのピクチャ中のビデオブロックを予測することと、
ビットストリーム内の前記予測されたビデオブロックの残差データを符号化することと、
前記ビットストリーム内の前記少なくとも１つの３Ｄルックアップテーブルの前記サイズを示す、１つまたは複数のシンタックス要素を符号化することと、ここにおいて、前記サイズが、前記第１のクロマ成分および前記第２のクロマ成分の各々に関するのとは、前記ルーマ成分に関して異なる
をさらに備える、Ｃ１に記載の方法。
［Ｃ１４］
前記少なくとも１つの３Ｄルックアップテーブルの前記サイズを示す、１つまたは複数のシンタックス要素を復号することと、ここにおいて、前記サイズが、前記第１のクロマ成分および前記第２のクロマ成分の各々に関するのとは、前記ルーマ成分に関して異なる、
予測されたビデオブロックの残差データを復号することと、
前記復号された残差データと、前記少なくとも１つの３Ｄルックアップテーブルを使用して生成された前記少なくとも１つのレイヤ間参照ピクチャとに基づいて、前記ビデオデータの前記上位レイヤのピクチャ中の前記予測されたビデオブロックを再構成することと
をさらに備える、Ｃ１に記載の方法。
［Ｃ１５］
マルチレイヤビデオデータを処理するためのビデオ処理デバイスであって、
前記マルチレイヤビデオデータを記憶するように構成されたメモリと、
前記メモリと通信し、
色域スケーラビリティのための少なくとも１つの３次元（３Ｄ）ルックアップテーブルを生成することと、ここにおいて、前記少なくとも１つの３Ｄルックアップテーブルが、第１のクロマ成分および第２のクロマ成分に関するのとはルーマ成分に関して異なるサイズを有する、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行することと、
前記変換された色データに基づいて、前記ビデオデータの前記上位レイヤに関する少なくとも１つのレイヤ間参照ピクチャを生成することと
を行うように構成された、１つまたは複数のプロセッサと
を備える、ビデオ処理デバイス。
［Ｃ１６］
前記少なくとも１つの３Ｄルックアップテーブルの前記サイズは、前記第１のクロマ成分および前記第２のクロマ成分の各々に関するよりも、前記ルーマ成分に関して大きい、Ｃ１５に記載のデバイス。
［Ｃ１７］
前記少なくとも１つの３Ｄルックアップテーブルを生成するために、前記１つまたは複数のプロセッサは、非対称３Ｄルックアップテーブルの第１のクロマ次元および第２のクロマ次元の各々に関するのとは異なる数の、前記非対称３Ｄルックアップテーブルのルーマ次元に関するセグメントを使用して、前記非対称３Ｄルックアップテーブルを生成するように構成される、Ｃ１５に記載のデバイス。
［Ｃ１８］
前記非対称３Ｄルックアップテーブルは、前記非対称３Ｄルックアップテーブルの前記第１のクロマ次元および前記第２のクロマ次元の各々に関するよりも多い、前記非対称３Ｄルックアップテーブルの前記ルーマ次元に関するセグメントを有する、Ｃ１７に記載のデバイス。
［Ｃ１９］
前記少なくとも１つの３Ｄルックアップテーブルを生成するために、前記１つまたは複数のプロセッサは、サイズＭ×Ｎ×Ｋを有するルーマ成分３Ｄルックアップテーブルを生成すること、ここにおいて、Ｍが、前記ルーマ成分３Ｄルックアップテーブルのルーマ次元に関するサイズを表し、Ｎが、前記ルーマ成分３Ｄルックアップテーブルの第１のクロマ次元に関するサイズを表し、Ｋが、前記ルーマ成分３Ｄルックアップテーブルの第２のクロマ次元に関するサイズを表し、ここにおいて、ＭがＮおよびＫの各々とは異なる、を行うように構成される、Ｃ１５に記載のデバイス。
［Ｃ２０］
前記１つまたは複数のプロセッサは、前記サイズＭ×Ｎ×Ｋを有する第１のクロマ成分３Ｄルックアップテーブルを生成することと、前記サイズＭ×Ｎ×Ｋを有する第２のクロマ成分３Ｄルックアップテーブルを生成することとを行うように構成される、Ｃ１９に記載のデバイス。
［Ｃ２１］
前記少なくとも１つの３Ｄルックアップテーブルを生成するために、前記１つまたは複数のプロセッサは、第１のサイズを有するルーマ成分３Ｄルックアップテーブルを生成することと、第２のサイズを有する第１のクロマ成分３Ｄルックアップテーブルを生成することと、第３のサイズを有する第２のクロマ成分３Ｄルックアップテーブルを生成することとを行うように構成され、ここにおいて、前記第１のサイズが前記第２のサイズおよび前記第３のサイズの各々とは異なる、Ｃ１５に記載のデバイス。
［Ｃ２２］
前記少なくとも１つの３Ｄルックアップテーブルを生成するために、前記１つまたは複数のプロセッサは、第１の精度値を有するルーマ成分３Ｄルックアップテーブルを生成することと、第２の精度値を有する第１のクロマ成分３Ｄルックアップテーブルを生成することと、前記第２の精度値を有する第２のクロマ成分３Ｄルックアップテーブルを生成することとを行うように構成され、ここにおいて、前記第１の精度値が前記第２の精度値とは異なる、Ｃ１５に記載のデバイス。
［Ｃ２３］
前記少なくとも１つの３Ｄルックアップテーブルを生成するために、前記１つまたは複数のプロセッサは、前記３Ｄルックアップテーブルに関するテーブルインデックスとして使用されている前記ルーマ成分に基づいて、前記３Ｄルックアップテーブルの第１のクロマ次元および第２のクロマ次元の各々に関するよりも多くの、前記３Ｄルックアップテーブルのルーマ次元に関するセグメントを使用して、不平衡３Ｄルックアップテーブルを生成するように構成される、Ｃ１５に記載のデバイス。
［Ｃ２４］
前記少なくとも１つの３Ｄルックアップテーブルを生成するために、前記１つまたは複数のプロセッサは、
ルーマ成分３Ｄルックアップテーブルに関するテーブルインデックスとして使用されている前記ルーマ成分に基づいて、第１のクロマ次元および第２のクロマ次元の各々よりも大きいルーマ次元を有する前記ルーマ成分３Ｄルックアップテーブルを生成することと、
第１のクロマ成分３Ｄルックアップテーブルに関するテーブルインデックスとして使用されている前記第１のクロマ成分に基づいて、ルーマ次元および第２のクロマ次元の各々よりも大きい第１のクロマ次元を有する前記第１のクロマ成分３Ｄルックアップテーブルを生成することと、
第２のクロマ成分３Ｄルックアップテーブルに関するテーブルインデックスとして使用されている前記第２のクロマ成分に基づいて、第１のクロマ次元およびルーマ次元の各々よりも大きい第２のクロマ次元を有する前記第２のクロマ成分３Ｄルックアップテーブルを生成することと
を行うように構成される、Ｃ１５に記載のデバイス。
［Ｃ２５］
前記少なくとも１つの３Ｄルックアップテーブルを生成するために、前記１つまたは複数のプロセッサは、ルーマ成分３Ｄルックアップテーブルを単に生成するように構成される、Ｃ１５に記載のデバイス。
［Ｃ２６］
前記１つまたは複数のプロセッサは、前記少なくとも１つの３Ｄルックアップテーブルを使用して、ルーマ成分予測を実行することと、線形マッピングまたは区分線形マッピングのうちの１つを使用して、第１のクロマ成分予測および第２のクロマ成分予測を実行することとを行うように構成される、Ｃ１５に記載のデバイス。
［Ｃ２７］
前記ビデオ処理デバイスはビデオ符号化デバイスを備え、前記１つまたは複数のプロセッサは、
前記少なくとも１つの３Ｄルックアップテーブルを使用して生成された前記少なくとも１つのレイヤ間参照ピクチャに基づいて、前記ビデオデータの前記上位レイヤのピクチャ中のビデオブロックを予測することと、
ビットストリーム内の前記予測されたビデオブロックの残差データを符号化することと、
前記ビットストリーム内の前記少なくとも１つの３Ｄルックアップテーブルの前記サイズを示す、１つまたは複数のシンタックス要素を符号化することと、ここにおいて、前記サイズが、前記第１のクロマ成分および前記第２のクロマ成分の各々に関するのとは前記ルーマ成分に関して異なる、
を行うように構成される、Ｃ１５に記載のデバイス。
［Ｃ２８］
前記ビデオ処理デバイスはビデオ復号デバイスを備え、前記１つまたは複数のプロセッサは、
前記少なくとも１つの３Ｄルックアップテーブルの前記サイズを示す、１つまたは複数のシンタックス要素を復号することと、ここにおいて、前記サイズが、前記第１のクロマ成分および前記第２のクロマ成分の各々に関するのとは前記ルーマ成分に関して異なる、
予測されたビデオブロックの残差データを復号することと、
前記復号された残差データと、前記少なくとも１つの３Ｄルックアップテーブルを使用して生成された前記少なくとも１つのレイヤ間参照ピクチャとに基づいて、前記ビデオデータの前記上位レイヤのピクチャ中の前記予測されたビデオブロックを再構成することとを行うように構成される、Ｃ１５に記載のデバイス。
［Ｃ２９］
マルチレイヤビデオデータを処理するためのビデオ処理デバイスであって、
色域スケーラビリティのための少なくとも１つの３次元（３Ｄ）ルックアップテーブルを生成するための手段と、ここにおいて、前記少なくとも１つの３Ｄルックアップテーブルが、第１のクロマ成分および第２のクロマ成分に関するのとはルーマ成分に関して異なるサイズを有する、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行するための手段と、
前記変換された色データに基づいて、前記ビデオデータの前記上位レイヤに関する少なくとも１つのレイヤ間参照ピクチャを生成するための手段と
を備える、ビデオ処理デバイス。
［Ｃ３０］
マルチレイヤビデオデータを処理するための命令を記憶したコンピュータ可読記憶媒体であって、
実行されるとき、１つまたは複数のプロセッサに、
色域スケーラビリティのための少なくとも１つの３次元（３Ｄ）ルックアップテーブルを生成することと、ここにおいて、前記少なくとも１つの３Ｄルックアップテーブルが、第１のクロマ成分および第２のクロマ成分に関するのとはルーマ成分に関して異なるサイズを有する、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行することと、
前記変換された色データに基づいて、前記ビデオデータの前記上位レイヤに関する少なくとも１つのレイヤ間参照ピクチャを生成することと
を行わせる、コンピュータ可読記憶媒体。